(57)【要約】【課題】屋外・野外で使用しても薬剤に雨水等が触れることがないファン式薬剤拡散装置とする。【解決手段】ベース体１とカバー体２でファン装置収納空間３と薬剤収納空間４を有する本体容器５と、このファン装置収納空間３に設けたファン装置６と、前記薬剤収納空間４に設けた薬剤容器７と、その薬剤容器７に設けた薬剤８を備え、前記カバー体２にファン装置６の吐出部３１と連通した吹出し口９を形成し、前記ベース体１とカバー体２の内面との間に吸込み口１０を形成し、その吸込み口１０が薬剤収納空間４に連通すると共に、本体容器５の底面に開口して雨水が入り込むことがないようにする。【選択図】        図４
2004229852.tif 000002
【特許請求の範囲】
【請求項１】
ベース体１とカバー体２でファン装置収納空間３と薬剤収納空間４を有する本体容器５と、
前記本体容器５のファン装置収納空間３に設けたファン装置６と、
中空部７ａと環状室７ｂを有すると共に、通気性を有し、前記本体容器５の薬剤収納空間４に、その中空部７ａがファン装置６の吸込み部３０に連通して設けた薬剤容器７と、
この薬剤容器７の環状室７ｂに設けた薬剤８を備え、
前記本体容器５はファン装置６の吐出部３１に連通した吹出し口９を有し、
前記ベース体１とカバー体２との間に、本体容器５の底面に開口すると共に、薬剤収納空間４に連通した吸込み口１０を有することを特徴とするファン式薬剤拡散装置。
【請求項２】
ベース体１はファン装置収納空間３を形成する幅広い長手方向一端部１ａと薬剤収納空間４を形成する幅狭い長手方向他端部１ｂを有し、その長手方向一端部１ａの幅方向両側面１６がカバー体２の内面に接すると共に、長手方向他端部１ｂの幅方向両側面１９とカバー体２の内面が離隔し、その両者の間に吸込み口１０を形成している請求項１記載のファン式薬剤拡散装置。
【請求項３】
カバー体２はファン装置収納空間３を形成する小さな長手方向一端部２ａと薬剤収納空間４を形成する大きな長手方向他端部２ｂを有し、
この長手方向一端部２ａの内面がベース１の長手方向一端部１ａの幅方向両側面１６に接し、長手方向他端部２ｂの内面がベース１の長手方向他端部１ｂの幅方向両側面１９と離隔し、その両者の間に吸込み部１０を形成している請求項１記載のファン式薬剤拡散装置。
【発明の詳細な説明】
【０００１】
【発明の属する技術分野】
本発明は、主として、各種店舗・工場の入口付近やビアガーデン、オープンテラスレストラン、各種屋外イベントなど屋外・野外で使用するファン式薬剤拡散装置に関する。
【０００２】
【従来の技術】
特許文献１にファン式薬剤拡散装置が開示されている。
具体的には、外部容器内に、粒状香料を封入した中空筒形状の容器とファンを設け、そのファンを駆動することで外部容器の吸込口から空気を吸い込み、その空気を空気導入口、容器内の粒状香料を通して外部容器の吹出し口から放出することで、香料を拡散する。
【０００３】
【特許文献１】
実開平２−１１６４５２号公報
【０００４】
【発明が解決しようとする課題】
前述した従来のファン式薬剤拡散装置は、外部容器の一部分にスリットを形成して吸込み口、吹出し口としているので、屋外・野外で使用すると雨水等が吸込み口、吹出し口から内部に浸入することがある。
前記吹出し口は容器と対向しているので、その吹出し口から浸入した雨水等は容器内の粒状香料に触れ、香料の効能が低下したりする恐れがある。
【０００５】
本発明は、前述の課題に鑑みなされたものであり、その目的は、屋外・野外で使用しても雨水等が薬剤に触れることがないファン式薬剤拡散装置を提供することである。
【０００６】
【課題を解決するための手段】
第１の発明は、ベース体１とカバー体２でファン装置収納空間３と薬剤収納空間４を有する本体容器５と、
前記本体容器５のファン装置収納空間３に設けたファン装置６と、
中空部７ａと環状室７ｂを有すると共に、通気性を有し、前記本体容器５の薬剤収納空間４に、その中空部７ａがファン装置６の吸込み部３０に連通して設けた薬剤容器７と、
この薬剤容器７の環状室７ｂに設けた薬剤８を備え、
前記本体容器５はファン装置６の吐出部３１に連通した吹出し口９を有し、
前記ベース体１とカバー体２との間に、本体容器５の底面に開口すると共に、薬剤収納空間４に連通した吸込み口１０を有することを特徴とするファン式薬剤拡散装置である。
【０００７】
第２の発明は、第１の発明においてベース体１はファン装置収納空間３を形成する幅広い長手方向一端部１ａと薬剤収納空間４を形成する幅狭い長手方向他端部１ｂを有し、その長手方向一端部１ａの幅方向両側面１６がカバー体２の内面に接すると共に、長手方向他端部１ｂの幅方向両側面１９とカバー体２の内面が離隔し、その両者の間に吸込み口１０を形成しているファン式薬剤拡散装置である。
【０００８】
第３の発明は、第１の発明においてカバー体２はファン装置収納空間３を形成する小さな長手方向一端部２ａと薬剤収納空間４を形成する大きな長手方向他端部２ｂを有し、
この長手方向一端部２ａの内面がベース体１の長手方向一端部１ａの幅方向両側面１６に接し、長手方向他端部２ｂの内面がベース体１の長手方向他端部１ｂの幅方向両側面１９と離隔し、その両者の間に吸込み口１０を形成しているファン式薬剤拡散装置である。
【０００９】
【作  用】
第１の発明によれば、ファン装置６を駆動することで吸込み口１０、薬剤収納空間４、環状室７ｂ、中空部７ａを通して空気が吸い込みされ、環状室７ｂ内の薬剤８の薬剤成分を含む空気が吹出し口９から放出される。
また、吸込み口１０はベース体１とカバー体２との間に形成され、その吸込み口１０は本体容器５の底面に開口しているから、その吸込み口１０から雨水等が薬剤収納室４内に入り込むことがない。
したがって、屋外・野外で使用しても雨水等が薬剤８に触れることがないファン式薬剤放散装置である。
【００１０】
しかも、薬剤８の薬剤成分を含む空気を、ファン装置６で直接吹出し口９から放出するので、その空気の拡散到達距離が大きく、屋外・野外で使用するファン式薬剤放散装置として好ましい。
【００１１】
第２の発明によれば、ベース体１を幅広い長手方向一端部１ａと幅狭い長手方向他端部１ｂを有する形状とすることで、その長手方向他端部１ｂの幅方向両側面１９とカバー体２の内面との間に吸込み口１０を形成したから、その吸込み口１０は薬剤収納空間４の長手方向全長に亘って形成される。
よって、薬剤収納空間４の長手方向全長に亘って空気を吸い込むことができる。
【００１２】
第３の発明によれば、薬剤収納室４の縦断面積がファン装置収納空間３の縦断面よりも大きいので、その薬剤収納室４に設ける薬剤容器７を大径とすることができる。
よって、多量の薬剤８を設けることができると共に、本体容器５の全長を短かくできる。
【００１３】
【発明の実施の形態】
本発明の第１の実施の形態を図１〜図７に基づいて説明する。
ベース体１とカバー体２でファン装置収納空間３と薬剤収納空間４を有する本体容器５と、この本体容器５のファン装置収納空間３に設けたファン装置６と、本体容器５の薬剤収納空間４に設けた薬剤容器７と、その薬剤容器７内に設けた薬剤８を備えている。
前記本体容器５のカバー体２は前記ファン装置６の吐出部３１と連通した吹出し口９を有する。前記本体容器５はベース体１とカバー体２との間に吸込み口１０を有し、その吸込み口１０は本体容器５の底面に開口していると共に、薬剤収納空間４に連通している。
前記薬剤容器７は中空部７ａと環状室７ｂを有する中空筒形状でかつ内周と外周とに亘って空気が流通するもので、その環状室７ｂに薬剤８が設けてある。この薬剤容器７の中空部７ａがファン装置６の吸込み部３０に連通している。
【００１４】
次に、各部材の具体形状の一例を説明する。
前記ベース体１は底面板１１と周面板１２で上面が開口した矩形箱形状で、その長手方向中間部に仕切板１３を備えている。
前記カバー体２は上面板２０と、この上面板２０と連続した一対の側面板２１と、一端板２２と、他端板２３で下面が開口した箱形状で、その上面板２０の一方の側面板２１寄り部分に吹出し口９が形成してある。この実施の形態では上面板２０と一対の側面板２１が断面ほぼ半円形状としてあるが、これに限ることはない。
前記ベース体１とカバー体２は着脱自在に連結されている。
例えば、ベース体１の周面板１２の一端部１２ａとカバー体２の一端板２２の下部がボルト２４で固着され、ベース体１の周面板１２の他端部１２ｂに設けた係止片１４がカバー体２の他端板２３の下部に形成した係止穴２５に挿入係止している。
【００１５】
前述のように、ベース体１とカバー体２を連結することで、仕切板１３がカバー体２の上面板２０の内面、一対の側面板２１の内面に接して本体容器５内をファン装置収納空間３と薬剤収納空間４に区画している。
前記仕切板１３にはファン装置収納空間３と薬剤収納空間４を連通する孔１５を有する。
この仕切板１３はカバー体２に取付けても良い。
【００１６】
前記ベース体１のファン装置収納空間３を形成する長手方向一端部１ａ（仕切板１３よりも長手方向一端寄りの部分）の幅は大きく、その幅方向両側面１６がカバー体２の一対の側面板２１の内面（カバー体２の内面）に接している。この長手方向一端部１ａには支持プレート１７が上向きに一体的に設けてあると共に、電池収納筺１８が設けてある。
前記ベース体１の薬剤収納空間４を形成する長手方向他端部１ｂ（仕切板１３よりも長手方向他端寄り部分）の幅は小さく、その幅方向両側面１９はカバー体２の一対の側面板２１の内面（カバー体２の内面）と離隔し、その両者の間に隙間を形成し、その隙間が前述の吸込み口１０を形成している。
【００１７】
前記ファン装置６は、ケーシング６ａ内にファン６ｂを設けると共に、そのケーシング６ａに取付けたモータ６ｃでファン６ｂを駆動する。このファン６ｂはシロッコファンであるが、これに限ることはない。
前記ケーシング６ａは吸込み部３０と吐出部３１を有し、そのケーシング６ａを前述の支持プレート１７に載置すると共に、仕切板１３に接するようにして取付けられる。
そして、吸込み部３０が仕切板１３の孔１５に連通し、吐出部３１が吐出し口９に連通する。
この実施の形態では、仕切板１３がケーシング６ａの一部を形成しているが、これに限ることはなく、仕切板１３と別体でも良い。
前記電池収納筺１８には電池３２が着脱自在に収納され、この電池３２でモータ６ｃが駆動される。
【００１８】
前記薬剤容器７は内側筒体４０と外側筒体４１と一端板４２と他端板４３を備え、内側筒体４０と外側筒体４１と一端板４２、他端板４３で環状室７ｂを形成し、内側筒体４０が中空部７ａを形成する。前記内側筒体４０、外側筒体４１は一端部（ファン装置６寄り）が大径で他端部（ファン装置６と反対寄り）が小径なテーパ形状で、薬剤容器７はテーパ形状である。
前記一端板４２は孔４２ａを有して中空部７ａをファン装置６側に開口し、その孔４２ａが仕切板１３の孔１５と連通しファン装置６の吸込み部３０と連通している。
前記内側筒体４０、外側筒体４１には通気穴４４が複数形成され、その内側筒体４０、外側筒体４１は通気性を有する。
【００１９】
前記薬剤容器７は仕切板１３に着脱自在に取付けてある。
例えば、図４と図７に示すように仕切板１３の孔１５の周縁に、断面鉤形の受け片４５をリング状に設け、このリング状の受け片４５の一部分を不連続とする。
前記一端板４２の孔４２ａの周縁にリング状突片４６を設け、このリング状突片４６に複数の係止片４７を外周に向けて設ける。
この係止片４７は、前記リング状の受け片４５の不連続部４５ａに嵌まり合うと共に、受け片４５に係合する。
このようであるから、係止片４７を不連続部４５ａに嵌め合せ、薬剤容器７を若干の角度回転することで、係止片４７がリング状突片４６に係合して取付けられる。
前述と反対の操作をすることで薬剤容器７を取り外しできる。
【００２０】
前記本体容器５は脚を有し、設置面と底面との間に隙間が形成されるようにしてある。例えば、カバー体２の一端板２２、他端板２３の一部分をベース体１よりも下方に突出させ、その突出部分２２ａ，２３ａを脚としてある。なお、脚をベース体１に取付けることもできるが、カバー体２の一部を脚とすることは、カバー体２を金型成型する際に、簡単にその形状や個数、或いは高さを自由に設計し製作できる利点がある。即ち、ベース体１に脚を設ける事は、脚を別部品として成型し、ベース体１に取付ける作業を要し、価格面、生産面で不利である。
【００２１】
前記薬剤８は、殺虫、忌避、成長制御などの害虫防除剤、消臭効果、芳香効果、アロマテラピー効果、アロマコロジー効果などに用いられる各種揮散性の薬剤が挙げられる。
【００２２】
前記モータ６ｃでファン６ｂを駆動することで、吸込み口１０から空気が吸い込みされ、その空気は薬剤収納空間４から外側筒体４１の通気穴４４、環状室７ｂ、内側筒体４０の通気穴４４、中空部７ａ、孔４２ａ、孔１５、吸込み部３０、吐出部３１、吐出し口９と流通する。
よって、環状室７ｂ内に設けた薬剤８に空気が触れ、その薬剤成分が空気とともに吹出し口９から大気に放出される。
【００２３】
また、薬剤成分を含む空気がファン装置６から吹出し口９より直接放出されるので、その放出される空気の勢いが強い。
よって、薬剤成分を含む空気の拡散到達距離が大きく、屋外、野外で使用するファン式薬剤拡散装置として好ましい。
【００２４】
次に、本発明の第２の実施の形態を図８〜図１１に基づいて説明する。
この実施の形態は、ベース体１の幅を長手方向に亘って同一とし、カバー体２の長手方向一端部２ａ（仕切板１３よりも長手方向一端寄り部分）を小さく、長手方向他端部２ｂ（仕切板１３よりも長手方向他端寄り部分）を大きくすることで、ベース体１とカバー体２との間に隙間を形成して吸込み口１０を形成したことが第１の実施の形態と相違し、他の構成はほぼ同一である。
【００２５】
このようにすることで、本体容器５の縦断面積がファン装置収納空間３よりも薬剤収納空間４が大きいから、本体容器５の薬剤収納空間４の単位長さ当りの容積がファン装置収納空間３の単位長さ当り容積よりも大きい。
これによって、薬剤収納空間４を形成する部分（ベース体１の長手方向他端部１ｂ、カバー体２の長手方向他端部２ｂ）の長さを第１の実施の形態に比べて短かくして薬剤収納空間４の容積（長さ×縦断面積）を同一にできる。
したがって、薬剤収納空間４に収納する薬剤容器７の断面積を第１の実施の形態よりも大きくできるので、第１の実施の形態と同一の容量の薬剤を収納できると共に、容器本体５の全長を第１の実施の形態と比べて短かくできる。つまり、この実施の形態によれば容器本体５の全長を短かくして多量の薬剤を収納できる。
【００２６】
次に具体形状の一例を説明する。
ベース体１の長手方向一端部１ａの幅方向両側面１６と長手方向他端部１ｂの幅方向両側面１９は一直線状に連続する。
カバー体２の長手方向他端部２ｂの高さＨ１、幅Ｌ１は長手方向一端部２ａの高さＨ２、幅Ｌ２よりも大きい。
図１０に示すように、ベース体１の長手方向一端部１ａの幅方向両側面１６がカバー体２の両側面板２１の長手方向一端部内面２１ａに接する。ベース体１の長手方向他端部１ｂの幅方向両側面１９がカバー体２の両側面板２１の長手方向他端部内面２１ｂと離隔して両者の間に隙間を形成し、その隙間が吸込み口１０を形成する。
【００２７】
本体容器５のファン装置収納空間３の上部寄りにファン装置６を取付け、そのファン６ｂの回転中心を薬剤収納空間４の高さ方向のほぼ中央とする。薬剤容器７の径（外側筒体４１の径）を薬剤収納空間４の高さＨ１に合せて大きくし、環状室７ｂの縦断面積を大きくする。
このようにすることで、薬剤収納空間４の高さ方向のほぼ中央に薬剤容器７の中心が合致するから、薬剤収納空間４の高さ方向ほぼ全域に薬剤容器７を収納することができる。
【００２８】
つまり、ファン装置６を第１の実施の形態と同様に下方寄り位置に取付けると、そのファン６ｂの回転中心が薬剤収納空間４の高さ方向中央よりも低い位置となり、薬剤容器７を大径とするとベース体１と干渉してしまう。
【００２９】
この実施の形態では、電池収納筺１８をファン装置６の下方に取付けてある。これによってファン装置収納室３が第１の実施の形態に比べて短かくなるので、本体容器１の全長をより短かくできる。
なお、電池収納筺１８は第１の実施の形態と同様にファン装置６の側方に設けても良い。
【００３０】
前述の各実施の形態ではベース体１を底面板１１と周面板１２で上面が開口した箱形状としたが、図示を省略するが底面板１１のみでベース体１としても良い。
【００３１】
また、ベース体１を図１２（ａ）、（ｂ）に示すように長手方向一端部１ａが下方で長手方向他端部１ｂが上方となる階段形状としても良い。
このようにすれば、ベース体１の長手方向一端部１ａを載置面に置くことで長手方向他端部１ｂと載置面との間に隙間が形成されるから、脚を設けなくとも吸込み口１０から空気を吸い込みできる。
図１２（ａ）が第１の実施の形態のベース体１で、図１２（ｂ）が第２の実施の形態のベース体１である。
【００３２】
また、容器本体５の全長を短く、薬剤８をより多量必要とし、薬剤容器７をさらに大径にする場合、ベース体１の長手方向一端部１ａが上方で、長手方向他端部１ｂが下方となる階段形状とし薬剤収納空間４を大きくしても良い。
【００３３】
前述のように、ベース体１が階段形状であったり、又は／及び第１の実施の形態で示すベース体１の長手方向一端部１ａと長手方向他端部１ｂの幅が違う形状の場合、本体容器５内をファン装置収納空間３と薬剤収納空間４とを区画する仕切板１３の固定が容易となる。即ち、ベース体１の階段等の境目箇所で仕切板１３を位置決めでき、組立て作業が分かりやすく生産性が向上したり、また、金型面で仕切板１３の固定部分が少なくする簡単な構造でよい、などの利点がある。
【００３４】
前述の各実施の形態ではベース体１とカバー体２をボルト２４で固定したが、図示を省略するがベース体１の長手方向一端部１ａにフックを設けると共に、カバー体２の長手方向一端部２ａに係止穴を形成し、フックを係止穴に係止して固定するようにしても良い。
【００３５】
【発明の効果】
請求項１に係る発明によれば、ファン装置６を駆動することで吸込み口１０、薬剤収納空間４、環状室７ｂ、中空部７ａを通して空気が吸い込みされ、環状室７ｂ内の薬剤８の薬剤成分を含む空気が吹出し口９から放出される。
また、吸込み口１０はベース体１とカバー体２との間に形成され、その吸込み口１０は本体容器５の底面に開口しているから、その吸込み１０から雨水等が薬剤収納室４内に入り込むことがない。
したがって、屋外・野外で使用しても雨水等が薬剤８に触れることがないファン式薬剤放散装置である。
【００３６】
しかも、薬剤８の薬剤成分を含む空気を、ファン装置６で直接吹出し口９から放出するので、その空気の拡散到達距離が大きく、屋外・野外で使用するファン式薬剤放散装置として好ましい。
【００３７】
請求項２に係る発明によれば、ベース体１を幅広い長手方向一端部１ａと幅狭い長手方向他端部１ｂを有する形状とすることで、その長手方向他端部１ｂの幅方向両側面１９とカバー体２の内面との間に吸込み口１０を形成したから、その吸込み口１０は薬剤収納空間４の長手方向全長に亘って形成される。
よって、薬剤収納空間４の長手方向全長に亘って空気を吸い込むことができる。
【００３８】
請求項３に係る発明によれば、薬剤収納室４の縦断面積がファン装置収納空間３の縦断面よりも大きいので、その薬剤収納室４に設ける薬剤容器７を大径とすることができる。
よって、多量の薬剤８を設けることができると共に、本体容器５の全長を短かくできる。
【図面の簡単な説明】
【図１】本発明の第１の実施の形態を示す正面図である。
【図２】本発明の第１の実施の形態を示す平面図である。
【図３】本発明の第１の実施の形態を示す底面図である。
【図４】図２のＡ−Ａ断面図である。
【図５】図２のＢ−Ｂ断面図である。
【図６】図２のＣ−Ｃ断面図である。
【図７】図４のＤ−Ｄ断面図である。
【図８】本発明の第２の実施の形態を示す正面図である。
【図９】本発明の第２の実施の形態を示す平面図である。
【図１０】本発明の第２の実施の形態を示す底面図である。
【図１１】図９のＥ−Ｅ断面図である。
【図１２】ベース体の他の実施の形態を示す斜視図である。
【符号の説明】
１…ベース体、１ａ…長手方向一端部、１ｂ…長手方向他端部、２…カバー体、２ａ…長手方向一端部、２ｂ…長手方向他端部、３…ファン装置収納空間、４…薬剤収納空間、５…本体容器、６…ファン装置、７…薬剤容器、７ａ…中空部、７ｂ…環状室、８…薬剤、９…吹出し口、１０…吸込み口、１６…幅方向両側面、１９…幅方向両側面、３０…吸込み部、３１…吐出部。
【図１】
2004229852.tif 000003
【図２】
2004229852.tif 000004
【図３】
2004229852.tif 000005
【図４】
2004229852.tif 000006
【図５】
2004229852.tif 000007
【図６】
2004229852.tif 000008
【図７】
2004229852.tif 000009
【図８】
2004229852.tif 000010
【図９】
2004229852.tif 000011
【図１０】
2004229852.tif 000012
【図１１】
2004229852.tif 000013
【図１２】
2004229852.tif 000014